【事件の表示】
　特許第３０２０２９８号「バルコニー」の請求項１ないし３に係る特許に対する特許異議の申立てについて、次のとおり決定する。
【結　論】
　訂正を認める。
　特許第３０２０２９８号の請求項１、２に係る特許を維持する。
【理　由】
〔１〕手続の経緯
　本件特許第３０２０２９８号発明について、平成３年４月１７日に特許出願がされ、平成１２年１月１４日に特許権の設定登録がなされ、その後、岡田芳子より、その請求項１〜３に係る発明の特許について特許異議の申立てがなされ、当審において取消しの理由を通知したところ、その指定期間内の平成１３年１月２５日に訂正請求がなされ、再度、取消しの理由を通知したところ、その指定期間内の平成１３年７月３０日に訂正請求がなされたものである。
　
〔２〕訂正請求について
１．平成１３年７月３０日付けの訂正請求の内容
　本件異議の申立てにおいて、訂正請求が二度なされているが、最後の平成１３年７月３０日付けの訂正請求について審理するのが合理的であると考えられるので、以下、これについて審理する。
　訂正請求の趣旨は、特許第３０２０２９８号の明細書を訂正請求書に添付した訂正明細書のとおり訂正することを求めるものであり、訂正事項は以下のとおりである。
　訂正事項ａ
　特許請求の範囲の「【請求項１】建物に組み付けられるバルコニーを上階居室に隣接する奥側ユニットと該奥側ユニットに連続する前側ユニットの少なくとも２つに分割し、これらのユニットを、各ユニット毎に工場において床、手摺を予め組み立てて構成し、予め組み立てられた前記の各ユニットを、現場において前記建物の所定位置に設置して固定してなり、各ユニットの床面が、連続的な水勾配を成すように形成されていることを特徴とするバルコニー。
【請求項２】前記奥側ユニットは、床の両側に手摺りを工場において予め組み立てて構成したものであり、前記前側ユニットは、床の周縁部に手摺りを工場において予め組み立てて構成したものであることを特徴とする請求項１記載のバルコニ一。
【請求項３】前記前側ユニットは、横方向に複数個に分割したものであること特徴とする請求項１又は２記載のバルコニー。」を、
「【請求項１】建物に組み付けられるバルコニーを上階居室に隣接する奥側ユニットと該奥側ユニットに連続する前側ユニットの少なくとも２つに分割し、これらのユニットを、各ユニット毎に工場において床、手摺を予め組み立てて構成し、予め組み立てられた前記の各ユニットを、現場において前記建物の所定位置に設置して固定してなり、前側ユニットの前側縁部は下階居室より屋外へ突出されるとともに、該前側縁部に工場付けの軒樋が設けられ、各ユニットの床面が、奥側から前側へ下降するとともに、連続的な水勾配を成すように形成されているバルコニーであって、前記奥側ユニットは、床の両側に手摺りを工場において予め組み立てて構成したものであり、前記前側ユニットは、床の周縁部に手摺りを工場において予め組み立てて構成したものであることを特徴とするバルコニー。
【請求項２】前記前側ユニットは、横方向に複数個に分割したものであること特徴とする請求項１記載のバルコニー。」に訂正する。
　訂正事項ｂ
　発明の詳細な説明の段落【０００６】の記載を、「【課題を解決するための手段】本発明の請求項１記載のバルコニーは、建物に組み付けられるバルコニーを上階居室に隣接する奥側ユニットと該奥側ユニットに連続する前側ユニットの少なくとも２つに分割し、これらのユニットを、各ユニット毎に工場において床、手摺を予め組み立てて構成し、予め組み立てられた前記の各ユニットを、現場において前記建物の所定位置に設置して固定してなり、前側ユニットの前側縁部は下階居室より屋外へ突出されるとともに、該前側縁部に工場付けの軒樋が設けられ、各ユニットの床面が、奥側から前側へ下降するとともに、連続的な水勾配を成すように形成されているバルコニーであって、前記奥側ユニットは、床の両側に手摺を工場において予め組み立てて構成したものであり、前側ユニットは、床の周縁部に手摺りを工場において予め組み立てて構成したものであることを特徴としている。」に訂正する。
　訂正事項ｃ
　発明の詳細な説明の段落【０００７】の記載を、「また、本発明の請求項２記載のバルコニーは、請求項１記載のバルコニーにおいて、前側ユニットは、横方向に複数個に分割したものであること特徴としている。」に訂正する。
　訂正事項ｄ
　発明の詳細な説明の段落【０００８】の記載を、「【作用】上述した本発明の請求項１または２記載のバルコニーは、いずれも、上階居室に隣接する奥側ユニットと該奥側ユニットに連続する前側ユニットの少なくとも２つのユニットとして、工場で予め構成されているため、バルコニーの現場での組立は、各ユニットを現場まで搬送して建物の所定位置に設置、固定するだけで行われる。従って、現場にて従来のごとく細かい部材からバルコニーを組み立てる必要がなくなる。また、各ユニットを建物の所定位置へ設置した時に、前側ユニットの前側縁部は下階居室より屋外へ突出されるとともに、該前側縁部に工場付けの軒樋が設けられ、その床面が奥側から前側へ下降するとともに、連続的な水勾配を形成するため、バルコニー組立後、このバルコニー床面上の雨水は、水勾配に沿って円滑に流れる。請求項２記載のバルコニーによれば、前側ユニットを横方向に複数個に分割したから、居室のサイズに対応したバルコニーをサイズ毎に用意する必要がなくなり、従って部品点数を少なくして形成することができる。」と訂正する。
　訂正事項ｅ
　発明の詳細な説明の段落【００２０】の記載を、「さらに、各ユニット２，３を１階居室ユニット１１，１２上の所定位置へ設置した時には、その床面４ａ，７ａが奥側から前側へ下降するとともに連続的な水勾配を形成するため、バルコニー１の組立後、このバルコニー１の床面４ａ，７ａ上の雨水は、水勾配に沿って円滑に流れ、軒樋１０へ流れ込む。」に訂正する。
　訂正事項ｆ
　発明の詳細な説明の段落【００２１】の記載を削除する。
　訂正事項ｇ
　発明の詳細な説明の段落【００２２】の記載を、「なお、上記実施例では、バルコニー１を前後２のユニット２，３に分割した場合について説明したが、本発明の方式はこれに限定されるものではない。例えば、図３(ａ)〜(ｌ)に示すように、バルコニー１Ａ〜１Ｌを組み付ける居室ユニットのサイズに応じて、その分割ユニットをシステム化することができる。」に訂正する。
　訂正事項ｈ
　発明の詳細な説明の段落【００２６】の記載を、「以上詳述したように、本発明の請求項１または２記載のバルコニーは、上階居室に隣接する奥側ユニットと該奥側ユニットに連続する前側ユニットの少なくとも２つに分割し、これらのユニットを、各ユニット毎に工場において床、手摺を予め組み立てて構成し、予め組み立てられた前記の各ユニットを、現場において前記建物の所定位置に設置して固定するという簡素な構成により、現場における施工作業の省力化、工期短縮および品質の向上を実現できる効果がある。」に訂正する。
　訂正事項ｉ
　発明の詳細な説明の段落【００２７】の記載を、「また、各ユニットを建物の所定位置へ設置した時に、前側ユニットの前側縁部は下階居室より屋外へ突出されるとともに、該前側縁部に工場付けの軒樋が設けられ、その床面が奥側から前側へ下降するとともに、連続的な水勾配を形成するため、バルコニー組立後、このバルコニー床面上の雨水を、水勾配に沿って円滑に流せる効果もある。さらに、請求頃２記載のバルコニーでは、前側ユニットを横方向に複数個に分割したから、居室のサイズに対応したバルコニーをサイズ毎に用意する必要がなくなり、従って部品点数を少なくして形成することが可能となる。」に訂正する。
　
２．訂正の適否
（１）上記訂正について検討すると、訂正事項ａは、特許請求の範囲の請求項１を削除し、それに伴い、請求項２を請求項１に、請求項３を請求項２に繰り上げ、請求項１を引用していた旧請求項２の記載型式を変更するとともに、「前側ユニットの前側縁部は下階居室より屋外へ突出されるとともに、該前側縁部に工場付けの軒樋が設けられ」との構成、及び各ユニットの床面が「奥側から前側へ下降するとともに」との構成を付加し、バルコニーの構成を限定したものであって、特許請求の範囲の減縮を目的とするものである。
　また訂正事項ｂ〜ｉは、特許請求の範囲の訂正に伴って、特許請求の範囲の記載と発明の詳細な説明の記載との整合を図るために行う訂正であって、明りようでない記載の釈明を目的とするものである。
　そして、訂正事項ａ〜ｉの訂正は、願書に添付した明細書の段落【００１３】、同【００１５】の記載及び図２に基づくものであって、願書に添付した明細書又は図面に記載した事項の範囲内においてなされたものであり、また実質上特許請求の範囲を拡張し、又は変更するものではない。
（２）したがって、上記訂正事項ａ〜ｉの訂正は、特許法等の一部を改正する法律（平成６年法律第１１６号）附則６条１項の規定によりなお従前の例によるとされる、特許法１２０条の４第３項において準用する平成６年法律第１１６号による改正前の特許法１２６条１項ただし書及び２項の規定に適合するので、本件訂正請求を認める。
　
〔３〕特許異議の申立てについて
１．異議申立ての理由の概要
　異義申立人岡田芳子は、甲第１号証〜甲第６号証を提出して、本件請求項１〜３に係る発明は、甲第１号証〜甲第４号証に記載された発明に基いて当業者が容易に発明をすることができたものであるから、特許法２９条２項の規定により特許を受けることができないものであり、本件請求項１〜３に係る発明についての特許は取り消されるべきである旨主張している。
　甲第１号証：特開昭６１−２０４４３７号公報
　甲第２号証：実開昭６０−４８５１５号公報
　甲第３号証：実開平１−１１９７１９号公報
　甲第４号証：特開平３−５５４１号公報
　甲第５号証：平成１１年４月２１日付け意見書
　甲第６号証：本件特許公報　
　
２．本件発明
　本件請求項１及び２に係る発明（以下、「本件発明１」及び「本件発明２」という。）は、平成１３年７月３０日付けの訂正請求書に添付した訂正明細書の特許請求の範囲の請求項１及び２に記載されたとおりの次のものと認める。
「【請求項１】建物に組み付けられるバルコニーを上階居室に隣接する奥側ユニットと該奥側ユニットに連続する前側ユニットの少なくとも２つに分割し、これらのユニットを、各ユニット毎に工場において床、手摺を予め組み立てて構成し、予め組み立てられた前記の各ユニットを、現場において前記建物の所定位置に設置して固定してなり、前側ユニットの前側縁部は下階居室より屋外へ突出されるとともに、該前側縁部に工場付けの軒樋が設けられ、各ユニットの床面が、奥側から前側へ下降するとともに、連続的な水勾配を成すように形成されているバルコニーであって、前記奥側ユニットは、床の両側に手摺りを工場において予め組み立てて構成したものであり、前記前側ユニットは、床の周縁部に手摺りを工場において予め組み立てて構成したものであることを特徴とするバルコニー。
【請求項２】前記前側ユニットは、横方向に複数個に分割したものであること特徴とする請求項１記載のバルコニー。」
　
３．特許異議の申立てについての判断
（１）甲各号証の記載事項
　甲第１号証（取消しの理由に引用）には、　
　ア「第１図中符号１はプレハブ家屋である。このプレハブ家屋１は、第２図に示すように、工場で予め製造された一階部分の家屋ユニット２、二階部分の家屋ユニット３、屋根部分の家屋ユニット（図示しない）により組み立てられる。……一階部分の家屋ユニット２の上には、この発明の要旨をなすバルコニー１０が設置されている。……上記バルコニー１０は、３個のバルコニーユニット１１、１２，１３から構成されている。各バルコニーユニット１１、１２、１３は、第３図に示すように、……四角形の各フレーム部１Ａ、２Ａ、３Ａを有している。これら各フレーム部１Ａ、２Ａ、３Ａの長手方向の長さＬａは、上記一階部分の家屋ユニット２の幅Ｌｂよりも長くなるように形成されている。また、上記各フレーム部１Ａ、２Ａ、３Ａを合わせた全幅Ｌｃは、家屋ユニット２の長手方向の長さＬｄよりも長くなるようになっている。」（２頁右上欄３行〜左下欄７行）、
　イ「上述構成の各バルコニーユニット１１、１２、１３は、それぞれ工場で予め製造され、各フレーム部１Ａ、２Ａ、３Ａには、外壁１８等の必要な構成材が取り付けられる。」（２頁右下欄１〜４行）、
　ウ「建築現場では、一階部分の家屋ユニット２の上部梁６ａから６ｄ上にバルコニーユニット１１から順に載せ、３個のバルコニーユニット１１、１２、１３を家屋ユニット２の長手方向に並べる。」（２頁右下欄８〜１１行）の記載がある。
　そして、上記イの「外壁１８等の必要な構成材が取り付けられる。」の記載によれば、バルコニーユニットには、床が組み立てられていると解するのが自然である。
　以上の記載及び第１図〜第３図からみて、甲第１号証には、
「建物に組み付けられるバルコニーを３つのバルコニーユニットに分割し、これらのバルコニーユニットを、各バルコニーユニット毎に工場において、床、手摺を予め組み立てて構成し、予め組み立てられた各バルコニーユニットを、現場において建物の所定位置に設置して固定してなり、バルコニーユニットの縁部は下階建物より屋外へ突出されているバルコニー」
が記載されているものと認められる。
　甲第２号証（取消しの理由に引用）には、バルコニーの床に水勾配を形成することが記載されている。
　甲第３号証には、バルコニーの床に水勾配を形成することが記載されており、同号証に係る実用新案登録出願の明細書及び図面を撮影したマイクロフィルム（取消しの理由に引用）には、さらに、ベランダ下地に設けた溝内に樋部材を並べ軒先に樋を設けた規格住宅のベランダ、が記載されているものと認められる。
　甲第４号証には、バルコニーを横方向に複数個に分割してユニット化すること、が記載されているものと認められる。
（２）対比・判断
（２−１）本件発明１について
　本件発明１と甲第１号証記載の発明とを対比すると、甲第１号証記載の発明の「バルコニーユニット」は、本件発明１の「ユニット」に相当するから、両者は、「建物に組み付けられるバルコニーを少なくとも２つのユニットに分割し、これらのユニットを、各ユニット毎に工場において、床、手摺を予め組み立てて構成し、予め組み立てられた各ユニットを、現場において前記建物の所定位置に設置して固定してなり、ユニットの縁部は下階建物より屋外へ突出されているバルコニー」である点で一致するものの、以下の点で相違する。
　相違点１
　本件発明１では、バルコニーを上階居室に隣接する奥側ユニットと、奥側ユニットに連続する前側ユニットに分割し、前記奥側ユニットは、床の両側に手摺りを工場において予め組み立てて構成したものであり、前記前側ユニットは、床の周縁部に手摺りを工場において予め組み立てて構成したものであるのに対し、甲第１号証記載の発明では、バルコニーを上階居室に隣接する奥側ユニットと、奥側ユニットに連続する前側ユニットに分割しているのか不明であるとともに、手摺りを取り付ける箇所が不明である。
　相違点２
　本件発明１では、各ユニットの床面が、奥側から前側へ下降するとともに、連続的な水勾配を成すように形成されているのに対し、甲第１号証記載の発明では、各ユニットの床面が、奥側から前側へ連続的な水勾配を成すように形成されているのか不明である。
　相違点３
　本件発明１では、前側ユニットの前側縁部に工場付けの軒樋が設けられているのに対し、甲第１号証記載の発明では、ユニットの前側縁部に工場付けの軒樋が設けられているのか不明である。
　相違点４
　バルコニーが設置、固定されている建物が、本件発明１では、下階居室であるのに対し、甲第１号証記載の発明では、下階居室であるのか不明である。
　そこで上記相違点について検討する。
　相違点２について
　バルコニーの床に、奥側から前側へ水勾配を形成するすることは、本件特許の出願前周知の技術である（例えば、甲第２号証及び甲第３号証参照。）から、甲第１号証記載の発明に上記周知技術を適用して本件発明１のようにすることは、当業者が容易になし得たことである。
　相違点３について
　甲第３号証のマイクロフィルムには、ベランダ下地に設けた溝内に樋部材を並べ軒先に樋を設けた規格住宅のベランダ、が記載されており、甲第１号証には、バルコニーユニットに外壁等の必要な構成材を工場で予め取り付けておくことが記載され（上記イの記載参照。）ているから、甲第１号証記載の発明に、甲第３号証のマイクロフィルム記載の発明を適用して本件発明１のようにすることは、当業者が容易になし得たことといえる。
　相違点４について
　バルコニーが設置、固定されている建物を下階居室とするかどうかは、当業者が必要に応じ適宜決め得る設計事項である。
　しかしながら、相違点１の本件発明１の構成のうち、「バルコニーを上階居室に隣接する奥側ユニットと、奥側ユニットに連続する前側ユニットに分割し、前記奥側ユニットは、床の両側に手摺りを組み立てて構成し、前側ユニットは、床の周縁部に手摺りを組み立てて構成した」については、甲第２号証〜甲第４号証のいずれにも記載されていないし、示唆もされていない。
　したがって、本件発明１は、甲第１号証〜甲第４号証記載の発明に基いて当業者が容易に発明をすることができたものとすることはできない。
（２−２）本件発明２について
　本件発明２は、本件発明１において構成をさらに付加したものであるところ、本件発明１が、上記「（２−１）本件発明１について」に記載したように、甲第１号証〜甲第４号証記載の発明に基いて当業者が容易に発明をすることができたものとすることができない以上、本件発明２も、甲第１号証〜甲第４号証記載の発明に基いて当業者が容易に発明をすることができたものとすることはできない。
　
４．むすび
　以上のとおりであるから、異議申立人の主張する理由及び提出した証拠方法によっては、本件発明１及び２についての特許を取り消すことはできない。
　また、他に本件発明１及び２についての特許を取り消すべき理由を発見しない。
　よって、結論のとおり決定する。
【異議決定日】
平成１３年１０月９日（２００１．１０．９）
【訂正の要旨】
〔訂正の要旨〕
　特許第３０２０２９８号の明細書を、特許請求の範囲の減縮を目的として下記ａのとおり、明瞭でない記載の釈明を目的として下記ｂ〜ｉのとおり訂正する。
　ａ　特許請求の範囲の「【請求項１】建物に組み付けられるバルコニーを上階居室に隣接する奥側ユニットと該奥側ユニットに連続する前側ユニットの少なくとも２つに分割し、これらのユニットを、各ユニット毎に工場において床、手摺を予め組み立てて構成し、予め組み立てられた前記の各ユニットを、現場において前記建物の所定位置に設置して固定してなり、各ユニットの床面が、連続的な水勾配を成すように形成されていることを特徴とするバルコニー。
　【請求項２】前記奥側ユニットは、床の両側に手摺りを工場において予め組み立てて構成したものであり、前記前側ユニットは、床の周縁部に手摺りを工場において予め組み立てて構成したものであることを特徴とする請求項１記載のバルコニー。
　【請求項３】前記前側ユニットは、横方向に複数個に分割したものであること特徴とする請求項１又は２記載のバルコニー。」を、
「【請求項１】建物に組み付けられるバルコニーを上階居室に隣接する奥側ユニットと該奥側ユニットに連続する前側ユニットの少なくとも２つに分割し、これらのユニットを、各ユニット毎に工場において床、手摺を予め組み立てて構成し、予め組み立てられた前記の各ユニットを、現場において前記建物の所定位置に設置して固定してなり、前側ユニットの前側縁部は下階居室より屋外へ突出されるとともに、該前側縁部に工場付けの軒樋が設けられ、各ユニットの床面が、奥側から前側へ下降するとともに、連続的な水勾配を成すように形成されているバルコニーであって、前記奥側ユニットは、床の両側に手摺りを工場において予め組み立てて構成したものであり、前記前側ユニットは、床の周縁部に手摺りを工場において予め組み立てて構成したものであることを特徴とするバルコニー。
　【請求項２】前記前側ユニットは、横方向に複数個に分割したものであること特徴とする請求項１記載のバルコニー。」に訂正する。
　ｂ　発明の詳細な説明の段落【０００６】の記載を、「【課題を解決するための手段】本発明の請求項１記載のバルコニーは、建物に組み付けられるバルコニーを上階居室に隣接する奥側ユニットと該奥側ユニットに連続する前側ユニットの少なくとも２つに分割し、これらのユニットを、各ユニット毎に工場において床、手摺を予め組み立てて構成し、予め組み立てられた前記の各ユニットを、現場において前記建物の所定位置に設置して固定してなり、前側ユニットの前側縁部は下階居室より屋外へ突出されるとともに、該前側縁部に工場付けの軒樋が設けられ、各ユニットの床面が、奥側から前側へ下降するとともに、連続的な水勾配を成すように形成されているバルコニーであって、前記奥側ユニットは、床の両側に手摺を工場において予め組み立てて構成したものであり、前側ユニットは、床の周縁部に手摺りを工場において予め組み立てて構成したものであることを特徴としている。」に訂正する。
　ｃ　発明の詳細な説明の段落【０００７】の記載を、「また、本発明の請求項２記載のバルコニーは、請求項１記載のバルコニーにおいて、前側ユニットは、横方向に複数個に分割したものであること特徴としている。」に訂正する。
　ｄ　発明の詳細な説明の段落【０００８】の記載を、「【作用】上述した本発明の請求項１または２記載のバルコニーは、いずれも、上階居室に隣接する奥側ユニットと該奥側ユニットに連続する前側ユニットの少なくとも２つのユニットとして、工場で予め構成されているため、バルコニーの現場での組立は、各ユニットを現場まで搬送して建物の所定位置に設置、固定するだけで行われる。従って、現場にて従来のごとく細かい部材からバルコニーを組み立てる必要がなくなる。また、各ユニットを建物の所定位置へ設置した時に、前側ユニットの前側縁部は下階居室より屋外へ突出されるとともに、該前側縁部に工場付けの軒樋が設けられ、その床面が奥側から前側へ下降するとともに、連続的な水勾配を形成するため、バルコニー組立後、このバルコニー床面上の雨水は、水勾配に沿って円滑に流れる。請求項２記載のバルコニーによれば、前側ユニットを横方向に複数個に分割したから、居室のサイズに対応したバルコニーをサイズ毎に用意する必要がなくなり、従って部品点数を少なくして形成することができる。」と訂正する。
　ｅ　発明の詳細な説明の段落【００２０】の記載を、「さらに、各ユニット２，３を１階居室ユニット１１，１２上の所定位置へ設置した時には、その床面４ａ，７ａが奥側から前側へ下降するとともに連続的な水勾配を形成するため、バルコニー１の組立後、このバルコニー１の床面４ａ，７ａ上の雨水は、水勾配に沿って円滑に流れ、軒樋１０へ流れ込む。」に訂正する。
　ｆ　発明の詳細な説明の段落【００２１】の記載を削除する。
　ｇ　発明の詳細な説明の段落【００２２】の記載を、「なお、上記実施例では、バルコニー１を前後２のユニット２，３に分割した場合について説明したが、本発明の方式はこれに限定されるものではない。例えば、図３（ａ）〜（ｌ）に示すように、バルコニー１Ａ〜１Ｌを組み付ける居室ユニットのサイズに応じて、その分割ユニットをシステム化することができる。」に訂正する。
　ｈ　発明の詳細な説明の段落【００２６】の記載を、「以上詳述したように、本発明の請求項１または２記載のバルコニーは、上階居室に隣接する奥側ユニットと該奥側ユニットに連続する前側ユニットの少なくとも２つに分割し、これらのユニットを、各ユニット毎に工場において床、手摺を予め組み立てて構成し、予め組み立てられた前記の各ユニットを、現場において前記建物の所定位置に設置して固定するという簡素な構成により、現場における施工作業の省力化、工期短縮および品質の向上を実現できる効果がある。」に訂正する。
　ｉ　発明の詳細な説明の段落【００２７】の記載を、「また、各ユニットを建物の所定位置へ設置した時に、前側ユニットの前側縁部は下階居室より屋外へ突出されるとともに、該前側縁部に工場付けの軒樋が設けられ、その床面が奥側から前側へ下降するとともに、連続的な水勾配を形成するため、バルコニー組立後、このバルコニー床面上の雨水を、水勾配に沿って円滑に流せる効果もある。さらに、請求頃２記載のバルコニーでは、前側ユニットを横方向に複数個に分割したから、居室のサイズに対応したバルコニーをサイズ毎に用意する必要がなくなり、従って部品点数を少なくして形成することが可能となる。」に訂正する。
（５４）【発明の名称】
バルコニー
（５７）【特許請求の範囲】
　【請求項１】　建物に組み付けられるバルコニーを上階居室に隣接する奥側ユニットと該奥側ユニットに連続する前側ユニットの少なくとも２つに分割し、これらのユニットを、各ユニット毎に工場において床、手摺を予め組み立てて構成し、予め組み立てられた前記の各ユニットを、現場において前記建物の所定位置に設置して固定してなり、前側ユニットの前側縁部は下階居室より屋外へ突出されるとともに、該前側縁部に工場付けの軒樋が設けられ、各ユニットの床面が、奥側から前側へ下降するとともに、連続的な水勾配を成すように形成されている
バルコニーであって、
　前記奥側ユニットは、床の両側に手摺りを工場において予め組み立てて構成したものであり、前記前側ユニットは、床の周縁部に手摺りを工場において予め組み立てて構成したものである
　【請求項２】　
前記前側ユニットは、横方向に複数個に分割したものであること特徴とする請求項１記載のバルコニー。
【発明の詳細な説明】
　【０００１】
　【産業上の利用分野】
　本発明は、ユニット住宅等の建物に組み付けられるバルコニーに関する。
　【０００２】
　【従来の技術】
　従来、建物に組み付けられるバルコニーとしては、例えば特開昭５８−１３８８４２号公報，実開昭５６−１４１０１号〜１４１０６号公報等に示されるようなものがあるが、これらのバルコニーは、いずれも現場で床，柱，手摺りを組み立てて完成されるものである。
　【０００３】
　【発明が解決しようとする課題】
　しかしながら、従来のバルコニーの組立方式では、ある程度組み上げられた部材を現場で組み立てることになるが、それでも現場における施工作業が多く、バルコニーの完成までにかなりの時間を費やす必要がある。
　【０００４】
　さらに、バルコニー組立に要する部材が未だばらばらの状態であるため、現場での組立に際して、部材を紛失したり、間違った箇所に部材を取り付けたりすることもある。
　【０００５】
　本発明は、このような課題を解決するために、工場における組立施工を行うことで、現場における施工作業の省力化、工期短縮および品質の向上を実現したバルコニーを提供することを目的とする。
　【０００６】
　【課題を解決するための手段】
　本発明の請求項１記載のバルコニーは、建物に組み付けられるバルコニーを上階居室に隣接する奥側ユニットと該奥側ユニットに連続する前側ユニットの少なくとも２つに分割し、これらのユニットを、各ユニット毎に工場において床、手摺を予め組み立てて構成し、予め組み立てられた前記の各ユニットを、現場において前記建物の所定位置に設置して固定してなり、前側ユニットの前側縁部は下階居室より屋外へ突出されるとともに、該前側縁部に工場付けの軒樋が設けられ、各ユニットの床面が、奥側から前側へ下降するとともに、連続的な水勾配を成すように形成されている
バルコニーであって、
　前記奥側ユニットは、床の両側に手摺を工場において予め組み立てて構成したものであり、前側ユニットは、床の周縁部に手摺りを工場において予め組み立てて構成したものである
　【０００７】
　
また、本発明の請求項２記載のバルコニーは、請求項１記載のバルコニーにおいて、前側ユニットは、横方向に複数個に分割したものであること特徴としている。
　【０００８】
　【作用】
　上述した本発明の請求項１
または２
　また、各ユニットを建物の所定位置へ設置した時に、前側ユニットの前側縁部は下階居室より屋外へ突出されるとともに、該前側縁部に工場付けの軒樋が設けられ、その床面が奥側から前側へ下降するとともに、連続的な水勾配を形成するため、バルコニー組立後、このバルコニー床面上の雨水は、水勾配に沿って円滑に流れる。
　請求項
２
　【０００９】
　【００１０】
　【実施例】
　以下、図面により本発明の一実施例としてのバルコニーの組立方式について説明すると、図１はその組立方式を説明するための分解斜視図、図２は本実施例のバルコニー組立後の状態を示す側面図である。
　【００１１】
　本実施例では、図１に示すように、バルコニー１（図２参照）は、前後２つのユニットつまり２階居室ユニット１３に隣接する奥側ユニット２とこの奥側ユニット２に連続する前側ユニット３とに分割され、これらのユニット２、３が、各ユニット２、３毎に工場において予め構成されている。
　【００１２】
　ここで、奥側ユニット２は、図２に示すごとく１階居室ユニット１１上に載置される床４と、この床４両側に配置されアルミ外壁パネル（またはアルミ格子パネル）５ａおよび手摺り子６ａ等からなる手摺り５，６とを工場において組み立てて構成されている。
　【００１３】
　また、前側ユニット３は、図２に示すごとく１階居室ユニット１２上からオーバーハングして載置される床７と、この床７周縁に沿ってコ字形状に配置されアルミ外壁パネル（またはアルミ格子パネル）８ａおよび手摺り子９ａ等からなる
手
摺り８，９とを工場において組み立てて構成されている。
　【００１４】
　なお、手摺り５，８を構成するアルミ外壁パネル（またはアルミ格子パネル）５ａ，８ａとしては、バルコニー１を組み付ける住宅外観に係るデザイン（格子の形状，色，バランス；パネルの塗装，色，仕上げ等）ものを選択する。
　【００１５】
　さらに、前側ユニット３においては、床７のオーバーハング部分（バルコニー軒先）内に、図２に示すように、軒樋１０が工場にて取り付けられるほか、手摺り８，９が倒れに対して強度不足である場合、工場で控え柱１４を適当な位置に立てておく。なお、控え柱１４を立てることができない場合には、仮梁など用いて倒れ防止を行ない、工場から現場へ搬送してから、現場で控え柱１４を立ててもよい。
　【００１６】
　そして、各ユニット２，３の床４，７の床面４ａ，７ａは、居室ユニット（建物）１１，１２の所定位置への設置時に、ユニット２側からユニット３側へ降傾斜する連続的な水勾配を成すように形成されている。また、各ユニット２，３の床４，７の立ち上げレベルは、軒樋１０のオーバーフロー時を考慮し、バルコニー１と隣接する２階居室ユニット１３の窓１３ａ下縁位置よりも低く設定されている。
　【００１７】
　上述のごとく工場において予め組み立てられた各ユニット２，３は、工場から現場へ搬送され、現場において、クレーン等によりそれぞれ１階居室ユニット１１，１２上の所定位置に設置された後、ボルト（図示せず）により締付固定されて
、バルコニー１の組立を完了する。
　【００１８】
　このように、本実施例によれば、バルコニー１が２階居室ユニット１３に隣接する奥側ユニット２とこの奥側ユニット２に連続する前側ユニット３とに分割され、前後２つのユニット２、３として工場にて予め構成されるので、次のような効果が得られる。
▲１▼現場でのバルコニー１の組立作業が少なくなり、一日でバルコニー仕上げまで終了できる。
▲２▼現場にて、従来のごとく細かい部材からバルコニー１を組み立てる必要がなくなり、細かい部材を探す手間が省け、部材の紛失や取付間違いが生じることもない。
▲３▼バルコニー１のほとんどの部分が工場にて組立られるため、雨仕舞などの品質が大幅に向上する。
▲４▼バルコニー１の外側に組み付けられる部品（軒樋１０等）も工場にて取り付けられるため、現場における高所作業もほとんどなくなり、現場での足場が不要になるほか、作業の安全性が確保される。
　【００１９】
　また、本実施例では、手摺り５，６，８，９を構成するに際して、アルミ外壁パネル（またはアルミ格子パネル）５ａ，８ａおよび手摺り子６ａ，９ａが用いられ、比較的安価なものとすることができるほか、アルミ外壁パネル（またはアルミ格子パネル）５ａ，８ａのデザインを適宜選択することにより、多種多様な住宅に導入され組み付けられるバルコニーのユニットを製造することができる。
　【００２０】
　さらに、各ユニット２，３を１階居室ユニット１１，１２上の所定位置へ設置した時には、その床面４ａ，７ａが奥側から前側へ下降するとともに連続的な水勾配を形成するため、バルコニー１の組立後、このバルコニー１の床面４ａ，７ａ上の雨水は、水勾配に沿って円滑に流れ、軒樋１０へ流れ込む。
　【００２１】
　【００２２】
　なお、上記実施例では、バルコニー１を前後２のユニット２，３に分割した場合について説明したが、本発明の方式はこれに限定されるものではない。例えば、図３（ａ）〜（ｌ）に示すように、バルコニー１Ａ〜１Ｌを組み付ける居室ユニットのサイズに応じて、その分割ユニットをシステム化することができる。
　【００２３】
　つまり、図３（ａ）〜（ｌ）に示すように、居室ユニットの幅および広さに応じて、奥側ユニット２Ａ〜２Ｈと、前側ユニット３Ａ〜３Ｄと、横方向に分割されて前側ユニットを構成する各種のユニット３Ｅ〜３Ｉとを工場製作することにより、各種居室ユニットに対応したバルコニー１Ａ〜１Ｌを、容易な現場作業により組み立てることができる。
　【００２４】
　図３（ａ）〜（ｄ）に示すバルコニー１Ａ〜１Ｄは、それぞれ奥側ユニット２Ａ〜２Ｄと前側ユニット３Ａ〜３Ｄとから組み立てられ、図３（ｅ）〜（ｈ）に示すバルコニー１Ｅ〜１Ｈは、それぞれ奥側ユニット２Ｅ〜２Ｈと前側ユニット３Ａ〜３Ｄとから組み立てられている。また、図３（ｉ）に示すバルコニー１Ｉは、奥側ユニット２Ａと、２つのユニット３Ｅ，３Ｆからなる前側ユニットとから組み立てられ、図３（ｊ）に示すバルコニー１Ｊは、奥側ユニット２Ｂと、２つのユニット３Ｅ，３Ｇからなる前側ユニットとから組み立てられ、図３（ｋ）に示すバルコニー１Ｋは、奥側ユニット２Ｃと、３つのユニット３Ｅ，３Ｈ，３Ｇからなる前側ユニットとから組み立てられ、図３（１）に示すバルコニー１Ｌは、奥側ユニット２Ｄと、３つのユニット３Ｅ，３Ｉ，３Ｇからなる前側ユニットとから組み立てられている。
　【００２５】
　さらに、本発明は、上記実施例に限定されることなく、本発明の要旨を逸脱しない範囲での設計変更等があっても、本発明の範囲に含まれる。
　【００２６】
　以上詳述したように、本発明の請求項１
または２
　【００２７】
　また、各ユニットを建物の所定位置へ設置した時に、前側ユニットの前側縁部は下階居室より屋外へ突出されるとともに、該前側縁部に工場付けの軒樋が設けられ、その床面が奥側から前側へ下降するとともに、連続的な水勾配を形成するため、バルコニー組立後、このバルコニー床面上の雨水を、水勾配に沿って円滑に流せる効果もある。
　さらに、請求項
２
【図面の簡単な説明】
　【図１】
　本発明の一実施例としてのバルコニーの組立方式を説明するための分解斜視図である。
　【図２】
　本実施例のバルコニー組立後の状態を示す側面図である。
　【図３】
　（ａ）〜（ｌ）はいずれも本発明の方式を適用されるバルコニーの分割例を示す平面図である。
　【符号の説明】
　１，１Ａ〜１Ｌ　バルコニー
　２，２Ａ〜２Ｈ　奥側ユニット
　３，３Ａ〜３Ｉ　前側ユニット
　４　　　　　　　床
　４ａ　　　　　　床面
　５，６　　　　　手摺り
　５ａ　　　　　　アルミ外壁パネル（またはアルミ格子パネル）
　６ａ　　　　　　手摺り子
　７　　　　　　　床
　７ａ　　　　　　床面
　８，９　　　　　手摺り
　８ａ　　　　　　アルミ外壁パネル（またはアルミ格子パネル）
　９ａ　　　　　　手摺り子
　１０　　　　　　軒樋
　１１，１２　　　１階居室ユニット
　１３　　　　　　２階居室ユニット
　１３ａ　　　　　窓
　１４　　　　　　控え柱